(57)【要約】【課題】エスカレータの非常停止ボタンを押した際に非常停止ボタンカバーの復元作業が不要で、ボタンを押した指を引き抜くときの怪我をするおそれを小さくする。【解決手段】エスカレータの非常停止ボタンを覆う非常停止ボタンカバー１には、非常停止ボタンの押込み面に対向する位置に、放射状に広がる切込み２が形成されている。非常停止ボタンカバー１は、ゴムなどの弾性を有する材料でできている。非常停止ボタンカバー１は、カバー保持体５によって保持されている。非常停止ボタンカバー１は、エスカレータの利用者が指で押した場合に、非常停止ボタンに到達できる程度の可撓性を備えている。非常時に、非常停止ボタンカバー１から停止ボタンの押込み方向に指を押込むと、その指は非常停止ボタンに到達し、さらに押込むことによりエスカレータを停止させることができる。その後、指が引き抜かれると、非常停止ボタンカバー１は元の状態に復元する。【選択図】図１
2007302426.tif 000002
【特許請求の範囲】
【請求項１】
エスカレータを停止させる非常停止ボタンを覆うように取付け可能で、前記非常停止ボタンの押込み面に対向する位置に切り込みが形成され、可撓性を備えることを特徴とする非常停止ボタンカバー。
【請求項２】
ゴムで形成されていることを特徴とする請求項１記載の非常停止ボタンカバー。
【請求項３】
エスカレータを停止させる非常停止ボタンを覆うように取付け可能で、前記非常停止ボタンの押込み面に対向する位置に切り込みが形成され、可撓性を備える非常停止ボタンカバーと、
前記非常停止ボタンカバーが前記非常停止ボタンを覆うように前記非常停止ボタンカバーを保持するカバー保持体と、
を有することを特徴とする非常停止ボタン保護器。
【請求項４】
前記カバー保持体は、前記非常停止ボタンの押込み方向に延びる筒状に形成されていることを特徴とする請求項３記載の非常停止ボタン保護器。
【請求項５】
前記カバー保持体は、前記非常停止ボタンカバーと一体に形成されていることを特徴とする請求項３または請求項４記載の非常停止ボタン保護器。
【請求項６】
利用者を移送するエスカレータと、
前記エスカレータを停止させる非常停止ボタンと、
前記非常停止ボタンを覆うように取付け可能で、前記非常停止ボタンの押込み面に対向する位置に切込みが形成され、可撓性を備える非常停止ボタンカバーと、
前記非常停止ボタンカバーが前記非常停止ボタンを覆うように前記非常停止ボタンカバーを保持するカバー保持体と、
を有することを特徴とするエスカレータ設備。
【発明の詳細な説明】
【技術分野】
【０００１】
本発明は、エスカレータの非常停止ボタンを覆う非常停止ボタンカバーおよび非常停止ボタン保護器、並びに、これらを用いたエスカレータ設備に関する。
【背景技術】
【０００２】
一般にエスカレータ設備には、非常時にエスカレータを停止させるための非常停止ボタンが設置されている。通常、この非常停止ボタンには、誤って押さないように非常停止ボタンカバーが取り付けられている。
【０００３】
非常停止ボタンカバーは、透明なアクリル樹脂でできている場合が多く、非常停止ボタンを押す場合には、このカバーを押し破った後にボタンを押す必要がある。
【発明の開示】
【発明が解決しようとする課題】
【０００４】
エスカレータの非常停止ボタンを押す際に非常停止ボタンカバーを押し破ると、その破壊された非常停止ボタンカバーに鋭利に尖ったバリが生じるため、非常停止ボタンを押した指を引き抜くときに怪我をするおそれがある。また、このような非常停止ボタンカバーは、非常停止ボタンを押すたびに破壊されるため、交換作業が必要である。一方、エスカレータの点検などの際に非常停止ボタンを押す場合にも非常停止ボタンを破壊しなければならないため、非常停止ボタンカバーの破壊を避けるためには、一旦、非常停止ボタンカバーを取り外さなければならないことも多い。
【０００５】
そこで、本発明は、エスカレータの非常停止ボタンを押した際に交換作業が不要で、ボタンを押した指を引き抜くときに怪我をするおそれが小さい非常停止ボタンカバー、非常停止ボタン保護器およびエスカレータ設備を提供することを目的とする。
【課題を解決するための手段】
【０００６】
上述の目的を達成するため、本発明は、非常停止ボタンカバーが、エスカレータを停止させる非常停止ボタンを覆うように取付け可能で、前記非常停止ボタンの押込み面に対向する位置に切り込みが形成され、可撓性を備えることを特徴とする。
【０００７】
また、本発明は、非常停止ボタン保護器が、エスカレータを停止させる非常停止ボタンを覆うように取付け可能で、前記非常停止ボタンの押込み面に対向する位置に切り込みが形成され、可撓性を備える非常停止ボタンカバーと、前記非常停止ボタンカバーが前記非常停止ボタンを覆うように前記非常停止ボタンカバーを保持するカバー保持体と、を有することを特徴とする。
【０００８】
また、本発明は、エスカレータ設備が、利用者を移送するエスカレータと、前記エスカレータを停止させる非常停止ボタンと、前記非常停止ボタンを覆うように取付け可能で、前記非常停止ボタンの押込み面に対向する位置に切込みが形成され、可撓性を備える非常停止ボタンカバーと、前記非常停止ボタンカバーが前記非常停止ボタンを覆うように前記非常停止ボタンカバーを保持するカバー保持体と、を有することを特徴とする。
【発明の効果】
【０００９】
本発明によれば、エスカレータの停止ボタンを押した際に交換作業が不要で、ボタンを押した指を引き抜くときに怪我をするおそれを小さくすることができる。
【発明を実施するための最良の形態】
【００１０】
本発明に係るエスカレータ設備の実施の形態を、図面を参照して説明する。
【００１１】
図４は、本発明に係る一実施の形態のエスカレータ設備の斜視図である。
【００１２】
エスカレータ設備は、利用者を移送するエスカレータ９と、エスカレータを停止させる非常停止ボタンを保護する非常停止ボタン保護器８を有している。非常停止ボタン保護器８は、たとえばエスカレータの利用者の足元高さに設定された取付け面４に取り付けられている。
【００１３】
図１は、本実施の形態の非常停止ボタン保護器の、図２におけるＩ−Ｉ矢視平面図である。図２は、本実施の形態の非常停止ボタン保護器の、図１におけるII−II矢視断面図である。
【００１４】
非常停止ボタン保護器８は、非常停止ボタンカバー１とカバー保持体５を有している。
【００１５】
非常停止ボタンカバー１は、非常停止ボタン３を覆うように配置される。非常停止ボタンカバー１には、非常停止ボタン３の押込み面７に対向する位置に複数の切込み２がその中心から放射状に形成されている。非常停止ボタンカバー１は、たとえば円板状のゴムでできていて、その厚さはたとえば１ｍｍである。
【００１６】
カバー保持体５は、取付け面４から停止ボタン３の押込み方向の反対側に延びる筒状（たとえば円筒状）のものであり、非常停止ボタン３の取付け面４に立設されている。非常停止ボタンカバー１は、カバー保持体５によって非常停止ボタン３と所定の間隙を介した状態で保持されている。なお、非常停止ボタンカバー１は、カバー保持体５に着脱できるようになっている。
【００１７】
なお、非常停止ボタンカバー１の形状は、円板状に限定されるものではない。同様に、カバー保持体５は、円筒状に限定されるものではなく、非常停止ボタンカバー１を保持できる形状であればよい。
【００１８】
図３は、本実施の形態における非常停止ボタンを押した状態を示す断面図である。なお、図３には、押込まれる前の非常停止ボタン３の位置を破線で示した。
【００１９】
非常停止ボタンカバー１は、ゴムなどの弾性を有する材料でできている。また、非常停止ボタンカバー１には切り込み２が形成されている。このため、エスカレータの利用者が指６で押した場合に、指６が非常停止ボタン３に到達できる程度の可撓性を備えている。非常時には、エスカレータの利用者などが、非常停止ボタンカバー１から非常停止ボタン３の押込み方向に指６を押し込むと、その指６は非常停止ボタン３に到達し、さらに押し込むことによりエスカレータを停止させることができる。その後、指６が引き抜かれると、非常停止ボタンカバー１は図２で示す状態に復元する。
【００２０】
このように、本実施の形態の非常停止ボタンカバー１は、非常停止ボタン３を押した場合でも、指６を引き抜くと元の状態に復元されるため、交換などの作業が不要であり、半永久的に使用することができる。また、点検などで非常停止ボタンを押す場合にも、非常停止ボタンカバーを一旦取り外すなどの作業が不要である。
【００２１】
さらに、この非常停止ボタンカバー１は、非常停止ボタン３を押す際にバリが生じることはないので、非常停止ボタン３を押した指を引き抜くときに怪我をするおそれがない。
【００２２】
なお、以上の説明は単なる例示であり、本発明は上述の実施の形態に限定されず、様々な形態で実施することができる。たとえば、カバー保持体５と非常停止ボタンカバー１を一体として形成してもよい。また、既設の非常停止ボタン保護器が、非常停止ボタンを押す際に破壊されるアクリル製などの非常停止ボタンカバーを有している場合には、その非常停止ボタンカバーのみを上述の実施の形態の停止ボタンカバー１と交換してもよい。
【図面の簡単な説明】
【００２３】
【図１】本発明に係る一実施の形態の非常停止ボタン保護器の、図２におけるＩ−Ｉ矢視正面図である。
【図２】本発明に係る一実施の形態の非常停止ボタン保護器の、図１におけるII−II矢視側断面図である。
【図３】本発明に係る一実施の形態における非常停止ボタンを押した状態を示す側断面図である。
【図４】本発明に係る一実施の形態におけるエスカレータ設備の斜視図である。
【符号の説明】
【００２４】
１…非常停止ボタンカバー、２…切込み、３…非常停止ボタン、４…非常停止ボタンの取付け面、５…カバー保持体、６…指、７…非常停止ボタンの押込み面、８…非常停止ボタン保護器、９…エスカレータ
【図１】
2007302426.tif 000003
【図２】
2007302426.tif 000004
【図３】
2007302426.tif 000005
【図４】
2007302426.tif 000006